(57)【要約】【課題】  ユーザーが録画キー入力直後に録画停止キーを押しても、録画装置の制御用マイコンが処理不能の状態に陥らないＤＶＤ−ＲあるいはＤＶＤ−ＲＷの録画装置およびその録画制御方法を提供する。【解決手段】  録画キーの入力時間から録画停止キーの入力時間までの経過時間をカウントするクロック手段１１と、前記経過時間がＶＯＢＵ(Video Object Units)のナビゲーションパックの記録に必要な時間以上の所定時間の経過前に録画停止キーが入力された場合に前記録画停止キーの指令を無効にする録画停止キー無効化手段１２と、を備えた。【選択図】  図２
2005269359.tif 000002
【特許請求の範囲】
【請求項１】
録画キーの入力時間から録画停止キーの入力時間までの経過時間をカウントするクロック手段と、
前記経過時間がＶＯＢＵ(Video Object Units)のナビゲーションパックの記録に必要な時間以上の所定時間の経過前に録画停止キーが入力された場合に前記録画停止キーの指令を無効にする録画停止キー無効化手段と、を有することを特徴とするＤＶＤ−ＲあるいはＤＶＤ−ＲＷの録画装置。
【請求項２】
録画キーの入力時間から録画停止キーの入力時間までの経過時間をカウントするクロック手段と、
前記経過時間がＶＯＢＵ(Video Object Units)のナビゲーションパックの記録に必要な時間以上の所定時間の経過前に録画停止キーが入力された場合には、前記録画停止キーの指令を無効にし、前記経過時間が前記所定時間を経過した後は前記タイマーカウントのカウントを停止し、録画停止キーの指令を有効にする録画停止キー無効化手段と、を有することを特徴とするＤＶＤ−ＲあるいはＤＶＤ−ＲＷの録画装置。
【請求項３】
前記所定時間は、１秒〜５秒の間の所定時間であることを特徴とする請求項１に記載のＤＶＤ−ＲあるいはＤＶＤ−ＲＷの録画装置。
【請求項４】
録画キーの入力を検知する段階と、
前記録画キーの入力時間からＶＯＢＵ(Video Object Units)のナビゲーションパックの記録に必要な時間以上の所定時間が経過するまで、録画停止キーの入力の有無を検知する段階と、
前記所定時間経過前に録画停止キーの入力があった場合には録画停止キーによる指令を無効にする段階と、
前記所定時間経過後に録画停止キーによる指令を有効にする段階と、を有することを特徴とするＤＶＤ−ＲあるいはＤＶＤ−ＲＷの録画制御方法。
【発明の詳細な説明】
【技術分野】
【０００１】
本発明はＤＶＤ−ＲあるいはＤＶＤ−ＲＷの録画装置、およびそれらの装置における録画制御方法に関する。
【０００２】
特に、きわめて短時間の録画をした場合の不具合を防止するようにしたＤＶＤ−ＲあるいはＤＶＤ−ＲＷの録画装置、および、その録画制御方法に関する。
【背景技術】
【０００３】
一般に、ＤＶＤ−ＲあるいはＤＶＤ−ＲＷの録画装置による録画は、リアルタイムで入力されるデータ（リアルタイムデータ）をＶＯＢＵ(Video Object Units)と呼ばれるビデオデータの最小単位で記録することが知られている。
【０００４】
ＤＶＤ−ＲあるいはＤＶＤ−ＲＷの録画装置は、ユーザーが録画キーを押すと、録画を開始し、リアルタイムデータを上記ＶＯＢＵに分割して記録していく。
【０００５】
再生時のために、所定数のＶＯＢＵはＣＥＬＬと呼ばれる再生用の単位ごとにまとめられ、各ＣＥＬＬごとに固有のＩＤを付されて記録される。
【０００６】
同時に、再生のためにＰＧＣ(Program Chain)と呼ばれる情報が生成され、一つのＰＧＣ中では複数のＣＥＬＬがそれらの再生の順番を定義される。
【０００７】
単純な映画等の場合は、ＰＧＣは一つ形成され、その中ですべてのＣＥＬＬが連続的に再生の順番を定義される。
【０００８】
一方、複数のストーリーを有する映画、あるいは複数の章(Chapter)に分割された映画は複数のＰＧＣが形成され、各ＰＧＣの内部でＣＥＬＬの再生順番が定義される。
【０００９】
一つのＰＧＣが複数のＰＧＣに分岐することもあれば、複数のＰＧＣが一つのＰＧＣに統合されることもある。
【００１０】
図４は、リアルタイムデータから複数のＰＧＣが定義される様子を示している。
【００１１】
図４の例では、リアルタイムデータは８つのＣＥＬＬに分割されて記録され、それぞれＩＤ：１０１〜１０８という固有のＩＤが付されている。そして、この例では再生用プログラムＰＧＣ１，２が生成され、ＰＧＣ１ではＩＤ１０１〜１０６のＣＥＬＬが配列されＣＥＬＬ１〜６とされ、ＰＧＣ２ではＩＤ１０４，１０２，１０６，１０７，１０３，１０８のＣＥＬＬが配列されＣＥＬＬ１〜６とされている。
【００１２】
ＰＧＣ１，２の再生時では、ＰＧＣ１，２はそれぞれの内部で定義されているＣＥＬＬ１〜６をその順番に再生する。
【００１３】
上記ＤＶＤ−ＲあるいはＤＶＤ−ＲＷの録画装置において、録画状態中にユーザーが録画停止キーを押すと、ＤＶＤ−ＲあるいはＤＶＤ−ＲＷの録画装置は最後のＶＯＢＵを記録し、録画終了処理を行う。録画終了処理は、記録日付、タイトル（ユーザー、番号、ジャンル）、チャンネル、ファイナライズ処理の有無、再生時間、録画時間、残量時間等の管理情報を記録する。
【特許文献１】特開平１１−３３８６１９号公報
【発明の開示】
【発明が解決しようとする課題】
【００１４】
従来のＤＶＤ−ＲあるいはＤＶＤ−ＲＷの録画装置は、ユーザーが録画キーを入力した後に所定の時間を置いて録画停止キーを入力すれば正常に作動する。
【００１５】
しかし、ユーザーが録画キー入力直後に録画停止キーを押すという特殊な操作を行うと、録画装置の制御用マイコンが処理不能の状態になることがあった。
【００１６】
具体的には、録画キーを押した直後に（１秒以下のきわめて短い時間の後に）ユーザーが録画停止キーを押すと、その後のリモコン送信機からの信号や、本体のボタンの操作を一切受け付けなくなる状態になることがあった。
【００１７】
このような場合は、従来は録画装置の電源を切り、再度電源を投入することによって、録画装置の機能を回復させることができたが、このような不具合が発生しないことが望ましいことは言うまでもない。
【００１８】
そこで、本発明が解決しようとする課題は、ユーザーが録画キー入力直後に録画停止キーを押しても、録画装置の制御用マイコンが処理不能の状態に陥らないＤＶＤ−ＲあるいはＤＶＤ−ＲＷの録画装置およびその録画制御方法を提供することにある。
【課題を解決するための手段】
【００１９】
従来は、上記録画装置の制御用マイコンが処理不能の状態に陥るのは、制御用マイコンのハードウェア上の処理の限界あるいはソフトウェア上の不具合と考えられ、その原因は不明のまま特に追求されなかった。
【００２０】
これに対して、本発明は、上記処理不能な状態に陥る原因をＤＶＤ−ＲあるいはＤＶＤ−ＲＷの録画ＶＯＢＵのデータ長に求め、ＶＯＢＵのナビゲーションパックの記録時間の間は録画停止キーの指令を無効にすることによって課題を解決するものである。
【００２１】
本発明によるＤＶＤ−ＲあるいはＤＶＤ−ＲＷの録画装置は、録画キーの入力時間から録画停止キーの入力時間までの経過時間をカウントするクロック手段と、前記経過時間がＶＯＢＵ(Video Object Units)のナビゲーションパックの記録に必要な時間以上の所定時間の経過前に録画停止キーが入力された場合に前記録画停止キーの指令を無効にする録画停止キー無効化手段と、を有することを特徴とするものである。
【００２２】
本発明によるＤＶＤ−ＲあるいはＤＶＤ−ＲＷの録画装置は、録画キーの入力時間から録画停止キーの入力時間までの経過時間をカウントするクロック手段と、前記経過時間がＶＯＢＵ(Video Object Units)のナビゲーションパックの記録に必要な時間以上の所定時間の経過前に録画停止キーが入力された場合には、前記録画停止キーの指令を無効にし、前記経過時間が前記所定時間を経過した後は前記タイマーカウントのカウントを停止し、録画停止キーの指令を有効にする録画停止キー無効化手段と、を有することを特徴とするものである。
【００２３】
前記所定時間は、１秒〜５秒の間の所定時間とすることができる。
【００２４】
本発明によるＤＶＤ−ＲあるいはＤＶＤ−ＲＷの録画制御方法は、録画キーの入力を検知する段階と、前記録画キーの入力時間からＶＯＢＵ(Video Object Units)のナビゲーションパックの記録に必要な時間以上の所定時間が経過するまで、録画停止キーの入力の有無を検知する段階と、前記所定時間経過前に録画停止キーの入力があった場合には録画停止キーによる指令を無効にする段階と、前記所定時間経過後に録画停止キーによる指令を有効にする段階と、を有することを特徴とするものである。
【発明の効果】
【００２５】
本発明によれば、少なくともＶＯＢＵ(Video Object Units)のナビゲーションパックの記録の間は録画停止キーの指令は無効にされ、ユーザーが録画キー入力直後に録画停止キーを押すという異常な操作を行っても、ＤＶＤ−ＲあるいはＤＶＤ−ＲＷの録画装置の制御用マイコンが処理不能な状態に陥ることを防止することができる。
【００２６】
本発明によれば、録画停止キーの指令を無効にする時間をＶＯＢＵ(Video Object Units)のナビゲーションパックの記録に必要な時間以上の所定時間と定めることができるので、録画停止キーの指令を無効にする時間をむやみに長く設定することが無くなり、操作が良好なＤＶＤ−ＲあるいはＤＶＤ−ＲＷの録画装置を得ることができる。
【発明を実施するための最良の形態】
【００２７】
最初に、ＤＶＤ−Ｒ，ＤＶＤ−ＲＷの録画装置のデータの記録方法について説明する。
【００２８】
上述したように、リアルタイムデータは複数のＣＥＬＬとして記録される。
【００２９】
図１はＣＥＬＬのさらに詳細な構成を示している。
【００３０】
図１に示すように、一つのＣＥＬＬは、所定数のＶＯＢＵ(Video Object Units)を含んでいる。
【００３１】
各ＶＯＢＵはナビゲーションパック(Navigation Pack)（図１において符号Ｎで示す）と呼ばれるデータ部から始まり、Group of Pictures(GOP)というデータ部を含んでいる。
【００３２】
GOPはビデオデータ（図１において符号Ｖで示す）、オーディオデータ（図１において符号Ａで示す）、サブピクチャーデータ（図１において符号Ｓで示す）等のデータを含んでいる。GOPのビデオデータＶ、オーディオデータＡ、サブピクチャーデータＳは、時間分割の多重構造になっており、パケット化されている。
【００３３】
ナビゲーションパック(Navigation Pack)は、Presentation Control Information (PCI)とData Search Information (DSI)という２つのパケットによって構成されいている。
【００３４】
ＶＯＢＵは最低限ナビゲーションパック(Navigation Pack)を含んでいればよく、ビデオデータＶ、オーディオデータＡ等を含んでいなくてもよい。
【００３５】
また、ＶＯＢＵのGOPのデータの長さは一定ではなく、長くても短くてもよい。
【００３６】
ＶＯＢＵの長さは、再生時間にして０．４秒〜１秒の長さを有している。
【００３７】
本発明は、以上のＶＯＢＵの構造により、少なくともＶＯＢＵのナビゲーションパックの記録時間以上の記録時間（録画時間）をプログラムの制御によって確保しようとするものである。
【００３８】
図２は、本発明によるＤＶＤ−Ｒ，ＤＶＤ−ＲＷの録画装置の一実施形態の構成を示している。
【００３９】
図２において、符号１はＤＶＤ−Ｒ，ＤＶＤ−ＲＷの録画装置の全体、符号２はチューナー、符号３は録画を制御する録画手段、符号４はディスク５に対する書き込みと読み取りを行うピック、符号６は制御用のマイコン、符号７は録画装置本体に設けられた操作用ボタン、符号８はリモコン９のための受信部、符号１０はアンテナを示している。
【００４０】
録画手段３は、クロック手段１１と録画停止キー無効化手段１２とを有している。
【００４１】
本発明の不可欠な構成は、クロック手段１１と録画停止キー無効化手段１２ということができる。
【００４２】
クロック手段１１と録画停止キー無効化手段１２以外の図２に示した構成要素は、ＤＶＤ−Ｒ，ＤＶＤ−ＲＷ録画装置１としては普遍的な要素か、ＤＶＤ−Ｒ，ＤＶＤ−ＲＷ録画装置１の外部装置とすることができる要素である。
【００４３】
クロック手段１１は、操作用ボタン７あるいはリモコン９の録画キーを入力した時間（録画キー入力時間）から操作用ボタン７あるいはリモコン９の録画停止キーを入力した時間（録画停止キー入力時間）までの経過時間をカウントする。
【００４４】
録画停止キー無効化手段１２は、上記経過時間とＶＯＢＵ(Video Object Units)のナビゲーションパックの記録に必要な時間とを比較し、前記経過時間がＶＯＢＵのナビゲーションパックの記録に必要な時間以上の所定時間の経過前に録画停止キーが入力された場合にはその録画停止キーの指令を無効にし、前記経過時間が前記所定時間を経過した後はタイマーカウントのカウントを停止し、録画停止キーの指令を有効にすることができる。
【００４５】
クロック手段１１と録画停止キー無効化手段１２は、本実施形態では録画手段３の内部に含まれているが、クロック手段１１と録画停止キー無効化手段１２のいずれかあるいはその双方はマイコン６の内部に含まれていてもよい。
【００４６】
この場合、録画停止キー無効化手段１２は、物理的にはプログラムの制御によって所定時間の間は録画停止キーの入力を無効にする機能を発揮するマイコンからなる。
【００４７】
次に、本発明のＤＶＤ−Ｒ，ＤＶＤ−ＲＷ録画装置１による録画制御方法について以下に説明する。
【００４８】
図３は、本発明のＤＶＤ−Ｒ，ＤＶＤ−ＲＷ録画装置１による録画制御方法の流れを示している。
【００４９】
本発明のＤＶＤ−Ｒ，ＤＶＤ−ＲＷ録画装置１による録画制御は、図３に示すように、録画キーの入力から開始する（ステップ１００）。
【００５０】
録画キーが入力されると、前述のクロック手段１１が録画キーの入力時間からの経過時間Ｔをカウントする（ステップ１１０）。
【００５１】
ステップ１１０以降は、きわめて短い時間サイクルで録画停止キーの入力の有無を検知する（ステップ１２０）。録画停止キーの入力の有無は、ユーザーのキー操作を検知可能な任意の手段、たとえばマイコン６あるいは録画停止キー無効化手段１２によって検知することができる。
【００５２】
録画停止キーの入力が無い場合（ステップ１２０においてＮｏとなった場合）は、クロック手段１１がカウントしている経過時間Ｔが５秒より大きいか否かを判断する（ステップ１３０）。この経過時間Ｔと５秒の大小の判断は、マイコン６が行ってもよいし録画停止キー無効化手段１２が行ってもよい。
【００５３】
経過時間Ｔが５秒を経過していない場合はステップ１２０の上流に処理が戻り、ステップ１２０とステップ１３０の間で繰り返し処理を行う。
【００５４】
一方ステップ１３０において、録画停止キーの入力が無いが、クロック手段１１がカウントしている経過時間Ｔが５秒より大きくなった場合は、クロック手段１１による経過時間Ｔのカウントを停止する（ステップ１４０）。
【００５５】
上記ステップ１４０におけるクロック手段１１のタイマーカウントを停止する処理は、マイコン６が行うことができるし、上記ステップ１４０の処理も録画停止キー無効化手段１２の機能に含めて録画停止キー無効化手段１２によって行うことができる。
【００５６】
クロック手段１１による経過時間Ｔのカウントを停止した後は、通常の録画状態のキーの動作通りに各操作キーの指令を受け付けるようにする（ステップ１５０）。すなわち、ステップ１５０以降は録画停止キーの入力があった場合には、直ちに録画を停止する。
【００５７】
なお、上記通常の録画状態のキーの作動状態に復旧する処理（ステップ１５０）は、マイコン６が行うことができるし、上記ステップ１５０の処理も録画停止キー無効化手段１２の機能に含めて録画停止キー無効化手段１２によって行うことができる。
【００５８】
次に経過時間Ｔが５秒を経過する前に録画停止キーの入力があった場合の処理について説明する。
【００５９】
ステップ１２０において録画停止キーの入力を検出した場合（ステップ１２０においてＹｅｓとなった場合）は、その時点の経過時間Ｔ、すなわち録画キーが入力されてから録画停止キーが入力されるまでの経過時間Ｔが５秒より大きいか否かを比較判断する（ステップ１６０）。この経過時間Ｔと５秒の大小の判断は、マイコン６が行ってもよいが、好ましくは録画停止キー無効化手段１２が行う。
【００６０】
経過時間Ｔが５秒より小さい場合（ステップ１６０においてＮｏとなった場合）は、ステップ１２０の上流に処理を戻す。この処理は録画停止キー無効化手段１２が行う。
【００６１】
上記処理により、録画キーが入力されてから録画停止キーが入力されるまでの経過時間Ｔが５秒より小さい場合は、録画停止キーの入力が無視され、無効にされる。
【００６２】
一方、経過時間Ｔが５秒より大きい場合（ステップ１６０においてＹｅｓとなった場合）は、クロック手段１１による経過時間Ｔのカウントを停止する（ステップ１７０）。この処理はマイコン６が行うか、録画停止キー無効化手段１２の機能に含めて録画停止キー無効化手段１２が行うかいずれでもよい。
【００６３】
クロック手段１１による経過時間Ｔのカウントを停止した後は、通常の録画状態のキーの動作通りに各操作キーの指令を受け付けるようにする（ステップ１５０）。すなわち、録画停止キーの入力があった場合には、直ちに録画を停止するようにする。
【００６４】
以上の説明から明らかなように、本実施形態によれば、録画キーが入力された時間から録画停止キーが入力された時間（経過時間Ｔ）が検出され、所定のと比較され、閾値の時間（５秒）以下なら録画停止キーの指令を無視し、５秒より大きいなら通常通り録画停止キーの入力によって直ちに録画を停止する。
【００６５】
また、録画入力キーの入力が無くても、経過時間Ｔが５秒より大きくなった時点で、クロック手段１１によるタイマーカウントを停止し、それ以降に録画停止キーの入力があった場合には直ちに録画を停止する。
【００６６】
ところで、上記閾値の５秒は例示であって、本発明ではＶＯＢＵのナビゲーションパックのデータを記録するのに必要な時間以上であり、且つ、確実にＶＯＢＵのナビゲーションパックのデータの記録が終了している時間であればよい。
【００６７】
具体的には、１秒〜５秒あれば確実にＶＯＢＵのナビゲーションパックのデータの記録が終了し、またそれ以上録画停止キーの入力を無効にしておく必要がないことも確実であるので、本発明では経過時間Ｔを１秒〜５秒の間の任意の閾値の時間と比較するのが好ましい。
【００６８】
これにより、録画停止キーの指令を無効にする時間をむやみに長く設定することが無くなって操作が良好であり、且つ、短時間に録画キーと録画停止キーを操作することによって処理不能な状態にならないＤＶＤ−ＲあるいはＤＶＤ−ＲＷの録画装置を得ることができる。
【００６９】
また、上記図３の説明において、マイコン６と録画停止キー無効化手段１２の機能が重複してもよい部分があったが、録画停止キー無効化手段１２を録画停止キーの入力を無効にする機能に単純化する場合は、それ以外のクロック手段１１の制御や閾値の時間との比較やキー操作の復旧等の処理はマイコン６が行い、録画停止キー無効化手段１２はマイコン６から指令を受けたときだけ録画停止キーの入力を無効にする。
【００７０】
一方、クロック手段１１の制御や閾値の時間との比較やキー操作の復旧等の処理を含めて録画停止キー無効化手段１２によって行う場合は、録画キーの入力（ステップ１００）後から録画状態のキーの動作に復旧する（ステップ１５０）までの間は、録画停止キー無効化手段１２がマイコン６に代わって制御を行うようにすることができる。
【図面の簡単な説明】
【００７１】
【図１】ＤＶＤ−Ｒ，ＤＶＤ−ＲＷの録画装置のデータのＣＥＬＬの詳細な構成を示す図。
【図２】本発明の一実施形態によるＤＶＤ−Ｒ，ＤＶＤ−ＲＷ録画装置の構成図。
【図３】本発明の一実施形態によるＤＶＤ−Ｒ，ＤＶＤ−ＲＷ録画装置の録画制御方法のフローチャート。
【図４】ＤＶＤ−Ｒ，ＤＶＤ−ＲＷ録画装置においてリアルタイムデータから複数のＰＧＣが定義される様子を示した図。
【符号の説明】
【００７２】
１  ＤＶＤ−Ｒ，ＤＶＤ−ＲＷ録画装置
２  チューナー
３  録画手段
４  ピック
５  ディスク
６  マイコン
７  操作用ボタン
８  受信部
９  リモコン
１０  アンテナ
１１  クロック手段
１２  録画停止キー無効化手段
【図１】
2005269359.tif 000003
【図２】
2005269359.tif 000004
【図３】
2005269359.tif 000005
【図４】
2005269359.tif 000006